(57)【要約】【課題】指先に一致する指紋認証機能部を構成し、常に指紋センサーを定位置で摺接することが可能となるようにして認識エラーを防止するとともに、薄型化、小型化が要求される情報機器の指紋認証機能部となるようにする。【解決手段】指紋センサー上で指先の指紋部分を摺接して得られる指紋データから本人確認を行うようにした指紋認証機能付き情報機器であり、筐体の表面に指先の外形に相似する形状の凹陥部を形成するとともに、該凹陥部の括れ部に指紋センサーを配設して指紋認証機能付き情報機器となるようにする。【選択図】図１
2008065767.tif 000002
【特許請求の範囲】
【請求項１】
指紋センサー上で指先の指紋部分を摺接して得られる指紋データから本人確認を行うようにした指紋認証機能付き情報機器であり、
筐体の表面に指先の外形に相似する形状の凹陥部を形成するとともに、該凹陥部の括れ部に指紋センサーを配設したことを特徴とする指紋認証機能付き情報機器。
【請求項２】
前記凹陥部の前端部および後端部に傾斜面が形成されていることを特徴とする請求項１記載の指紋認証機能付き情報機器。
【請求項３】
前記指紋センサーが弾性支持されていることを特徴とする請求項１記載の指紋認証機能付き情報機器。
【発明の詳細な説明】
【技術分野】
【０００１】
本発明は、指紋認証により機密保持を行うようにした情報機器において、指紋センサーによる指紋の読み取り時における認識エラーを防止するようにした指紋認証機能部の改良に関する。
【背景技術】
【０００２】
発展する情報化社会において金融機関などでは、本人確認を行うための精度の高いシステムとして現金自動支払機などに指紋認証装置が多く採用されるようになっている。
さらに、企業の機密保持や集合住宅などの私有地における警備を目的とする指紋認証装置も提案されている（例えば、特許文献１）。
【０００３】
このような施設などにおける指紋認証装置は、実施する対象が大型のシステムであることから装置の取り付けが容易であり、指紋認証機能部を大型に構成することができ機構設計の融通性が高い。しかしながら、薄型化、小型化が要求されるパソコン、携帯電話機、ＵＳＢメモリ装置などのような情報機器においては、指紋認証機能部はその大きさに制約を受ける。また、携帯電話機のような場合は、機器本体の本来の機能を構成する部分から外れた位置、即ち、機器本体の上端部や下端部を指紋検出部としている。（例えば、特許文献２）。
【０００４】
また、携帯電話機やパソコンなどよりさらに小型のＵＳＢメモリ装置においては、指紋認証機能部はさらに構造的制約を受けるものであった。図１０は、このような従来のＵＳＢメモリ装置１０１に指紋認証機能部１０２を構成した状態を示したもので、方形状の凹陥部１０３に指紋センサー１０４を配設するようにしている。
【特許文献１】特開２００５−３５２７８８号公報
【特許文献２】特開２００３−２９８７１１号公報
【発明の開示】
【発明が解決しようとする課題】
【０００５】
このように構成されたＵＳＢメモリ装置１０１において指紋認証のため指先を指紋センサー１０４上で摺接させる場合、正確に中心位置で摺接を反復することが困難であり、認識エラーを生じる確率の高いものであった。即ち、図１１（Ａ）に示すように指紋登録の位置が同図のように指紋センサー１０４の中心で指先Ｆを摺接して行われた場合、指紋認証における指先Ｆの摺接も同位置で行われなければならない。
【０００６】
ところが、往々にして指先Ｆの摺接は、図１１（Ｂ）、図１１（Ｃ）に示すように指紋センサー１０４の中心から左右に偏ることが多く、常に指紋センサー１０４の中心で指先の摺接が行われることがなく、認識エラーを発生する要因となっている。本発明は、かかる従来の問題に鑑みなされたもので、常に指紋センサーの中心で指先の摺接が行われ、認識エラーを防止するようにした指紋認証機能付き情報機器を提供することを目的とするものである。
【課題を解決するための手段】
【０００７】
そこで本発明は、以下に述べる手段により上記課題を解決するようにした。即ち、請求項１記載の発明では、指紋センサー上で指先の指紋部分を摺接して得られる指紋データから本人確認を行うようにした指紋認証機能付き情報機器であり、筐体の表面に指先の外形に相似する形状の凹陥部を形成するとともに、該凹陥部の括れ部に指紋センサーを配設した指紋認証機能付き情報機器となるようにする。
【０００８】
請求項２記載の発明では、上記請求項１記載の指紋認証機能付き情報機器において、凹陥部の前端部および後端部に傾斜面を形成する。
【０００９】
請求項３記載の発明では、上記請求項１記載の指紋認証機能付き情報機器において、指紋センサーが弾性支持されるようにする。
【発明の効果】
【００１０】
本発明によれば、指紋認証機能部に指先が一致する状態となり、常に指紋センサーを定位置で摺接することが可能となるので認識エラーを防止することができ、指紋認証機能部が構造的に大型とならないようにすることができ、薄型化、小型化が要求される情報機器において好適な指紋認証機能部となるようにすることができる。さらに、指紋認証機能部を構成する凹陥部の前端部および後端部に傾斜面を形成したので、指先に抵抗感を与えることなく指紋センサーとの摺接が可能となり、また、指紋センサーを弾性支持したことから摺接時の指先への追従性を向上することができる。
【発明を実施するための最良の形態】
【００１１】
図１は、本発明を実施したＵＳＢメモリ装置Ａの平面図であり、図２にその斜視図を示す。同図において、ＵＳＢメモリ装置Ａの本体先端にパソコンなどへ接続するためのコネクタ１を備え、本体の筐体表面に指紋認証機能部２を構成する。この指紋認証機能部２には、図１に示すように指先の第１関節から前方の形状に相似した指先凹陥部３ａと、第１関節と第２関節の間の形状に一致する指腹凹陥部３ｂが形成され、したがって指先の第１関節に相当する位置が括れ部３ｃとなる。なお、指先凹陥部３ａの前端部には傾斜面３ａ−１が形成されており、指腹凹陥部３ｂの後端部に傾斜部３ｂ−１が形成されている。
【００１２】
そして、このように形成された括れ部３ｃには図３に示すように指紋センサー４が配設される。この指紋センサー４は指先を摺接して指紋の凹凸を検出するようにするため、静電容量方式あるいは光学式のものが好適となる。また、この指紋センサー４は、本体内に固定されたラバーダンパー５に支持されていることから、押圧されると沈下して指先の表面に対して柔軟に追従できるようにしている。
【００１３】
本発明は以上のように構成されており、指紋認証機能部２の指先凹陥部３ａと指腹凹陥部３ｂに指紋登録した指を配置すると、図４に示すように指先Ｆの外形が指先凹陥部３ａと指腹凹陥部３ｂとが一致した状態となり、図５に示すように括れ部３ｃの指紋センサー４に指先Ｆの第１関節が位置する状態となる。
【００１４】
したがって、配置した指先Ｆは指先凹陥部３ａと指腹凹陥部３ｂの周側全体に接触する状態となるため、指紋認証機能部２へ指先Ｆを正確に配置した感覚を得ることができ、常に指紋センサー４の中心位置に指先Ｆの第１関節部分の配置が可能となる。そして、かかる状態から指先Ｆを指紋センサー４上で図６に示すように摺接すると、指先Ｆの指腹部は傾斜部３ｂ−１に沿ってスムーズに移動し、これに伴って同図に示すように指先Ｆの指紋が指先センサー４により読み取られる。
【００１５】
このようにして指先Ｆを指紋センサーＦに摺接する過程において、移動する指先Ｆは、その側部が図７に示すように括れ部３ｃに案内される状態となることから、指紋センサー４に対する横方向の位置を正確に保つことができ、指先側部に得られる触覚で指先の摺接状態を把握することができる。また、指紋センサー４はラバーダンパー５により上方へ付勢される状態となるため、どの位置においても指先Ｆとの接触状態が均等に保たれ、より正確な指紋の読み取りが可能となる。
【００１６】
以上のように本発明では、指先の外形に相似する形状の僅かな深さの凹陥部の形成により所期の目的とする機能を得ることができることから、上述したＵＳＢメモリ装置のような小型の情報機器に実施することができ、また、図８に示すように携帯電話機Ｂの背面に配設するようにしたり、図９に示すようにノート型パソコンＣの筐体表面に配設することが可能であり、実施の対象を広範なものとすることができる。
【図面の簡単な説明】
【００１７】
【図１】本発明を実施したＵＳＢメモリ装置の平面図である。
【図２】図１のＵＳＢメモリ装置の斜視図である。
【図３】図１のＵＳＢメモリ装置の横断面図である。
【図４】本発明の機能を説明するための平面図である。
【図５】本発明の機能を説明するための縦断面図である。
【図６】本発明の機能を説明するための縦断面図である。
【図７】本発明の機能を説明するための横断面図である。
【図８】本発明を携帯電話機に実施した状態の斜視図である。
【図９】本発明をノート型パソコンに実施した状態の斜視図である。
【図１０】従来のＵＳＢメモリ装置の斜視図である。
【図１１】従来のＵＳＢメモリ装置の不具合を説明する図である。
【符号の説明】
【００１８】
Ａ・・・・・・ＵＳＢメモリ装置
Ｂ・・・・・・携帯電話機
Ｃ・・・・・・ノート型パソコン
１・・・・・・コネクタ
２・・・・・・指紋認証機能部
３ａ・・・・・指先凹陥部
３ｂ・・・・・指腹凹陥部
４・・・・・・指紋センサー
５・・・・・・ラバーダンパー
【図１】
2008065767.tif 000003
【図２】
2008065767.tif 000004
【図３】
2008065767.tif 000005
【図４】
2008065767.tif 000006
【図５】
2008065767.tif 000007
【図６】
2008065767.tif 000008
【図７】
2008065767.tif 000009
【図８】
2008065767.tif 000010
【図９】
2008065767.tif 000011
【図１０】
2008065767.tif 000012
【図１１】
2008065767.tif 000013